(57)【特許請求の範囲】
【請求項１】
銅線対ネットワークの中の狭帯域時分割デュプレックス（ＴＤＤ）システムから広帯域伝送システムへの一定周期のクロストークノイズを減少させる方法において、
ＴＤＤシステムは広帯域伝送システムのスペクトルの下方部分で動作し、
広帯域伝送システムは周波数分割デュプレックス（ＦＤＤ）で動作し、
広帯域は少なくとも２つの帯域（Ａ，Ｂ）に分割され、
下方の帯域（Ａ）は少なくとも部分的にＴＤＤシステムとオーバラップし、下方（Ａ）と上方（Ｂ）の帯域は逆方向に伝送し、
帯域の伝送方向が、下方の帯域がＴＤＤシステムと同じ方向であるように、切替えられることを特徴とする方法。
【請求項２】
前記広帯域伝送システムの周波数帯域が前記ＴＤＤシステムからの同期信号の手段により切替えられる請求項１記載の方法。
【請求項３】
前記同期信号は前記ＴＤＤシステムからの一定周期のクロストークノイズと実質的に同期している請求項２記載の方法。
【請求項４】
前記広帯域が偶数の帯域に対で分割され、各対の低い帯域と高い帯域が逆方向に伝送される請求項１、２又は３に記載の方法。
【請求項５】
前記広帯域伝送システムがＶＤＳＬシステム又はＡＤＳＬシステムである請求項１−４のひとつに記載の方法。
【請求項６】
前記狭帯域伝送システムがＴＣＭ−ＩＳＤＮシステムである請求項１−５のひとつに記載の方法。
【請求項７】
銅線対ネットワークの中の狭帯域時分割デュプレックス（ＴＤＤ）システムから広帯域伝送システムへの一定周期のクロストークノイズを減少させる装置において、
ＴＤＤシステムは広帯域伝送システムのスペクトルの下方部分で動作し、
広帯域伝送システムは周波数分割デュプレックス（ＦＤＤ）で動作し、
広帯域は少なくとも２つの帯域（Ａ，Ｂ）に分割され、
下方の帯域（Ａ）は少なくとも部分的にＴＤＤシステムとオーバラップし、下方（Ａ）と上方（Ｂ）の帯域は逆方向に伝送し、
帯域の伝送方向が、下方の帯域がＴＤＤシステムと同じ方向であるように、切替えられることを特徴とする装置。
【請求項８】
前記広帯域伝送システムの周波数帯域が前記ＴＤＤシステムからの同期信号の手段により切替えられる請求項７記載の装置。
【請求項９】
前記同期信号は前記ＴＤＤシステムからの一定周期のクロストークノイズと実質的に同期している請求項８記載の装置。
【請求項１０】
前記広帯域が偶数の帯域に対で分割され、各対の低い帯域と高い帯域が逆方向に伝送される請求項７、８又は９に記載の装置。
【請求項１１】
前記広帯域伝送システムがＶＤＳＬシステム又はＡＤＳＬシステムである請求項７−１０のひとつに記載の装置。
【請求項１２】
前記狭帯域伝送システムがＴＣＭ−ＩＳＤＮシステムである請求項７−１１のひとつに記載の装置。
【発明の詳細な説明】
【０００１】
（発明の属する技術分野）
本発明は一定周期の(cyclo-stationary)クロストークノイズを減少させる方法及び装置に関し、特に、銅の対線伝送ネットワークにおける、狭帯域時分割デュプレックスシステムから広帯域伝送システムへの一定周期のクロストークノイズの効果を減少させる技術に関する。広帯域伝送システムは周波数分割デュプレックスシステムを使用し、周波数バンドは逆の伝送方向をもつ対の周波数バンドに分割される。周波数バンドの伝送方向は、時分割デュプレックスシステムからの一定周期のクロストークノイズに同期して切替えられる。
【０００２】
（従来の技術）
銅線によるネットワークにおいて、低周波数の狭帯域ＴＤＤシステム（例えばピンポンシステム）が存在し、これは同じケーブルの近傍の銅線対に複雑なクロストークノイズを誘起する。例えば、日本で最初に使われたＴＣＭ−ＩＳＤＮ（ＴＣＭ＝時間圧縮モード）と呼ばれるＩＳＤＮの変形がある。このＴＤＤシステムでは、上り信号（端末から中央局）と下り信号（中央局から端末）が異なるタイムスロットに分割され、同じケーブルの全てのシステムは時間同期している。
【０００３】
ＴＤＤシステムから近傍の銅線に誘起するクロストークノイズはＴＤＤシステムの伝送方向に従って時間に依存し、つまりＴＤＤシステムは近傍の銅線に一定周期のクロストークノイズを発生する。これは、ある時はＮＥＸＴ（近端クロストーク；Near End Cross-Talk）にあり、又別の時はＦＥＸＴ（遠端クロストーク；Far End Cross-Talk）である。チャネル容量の観点から、ＮＥＸＴによる被害はＦＥＸＴによる被害より大きく、その理由はＮＥＸＴのパワー密度がＦＥＸＴのパワー密度より大きいからである。
【０００４】
しかし、広いバンド幅を用いるシステムが同じケーブルにもうけられ、ＴＤＤクロストークノイズのスペクトルとオーバラップすることがある。例えばＶＤＳＬ（Very high bit-rate Digital Subscriber Line）又はＡＤＳＬ（非対称デジタル加入者線；Asymmetric Digital Subscriber Line）がある。この場合、スペクトルの低周波部分が一定周期のクロストークノイズに影響される。ＶＤＳＬは１０ＭＨｚまでの周波数を使用し、ＴＤＭ−ＩＳＤＮはおそらく２ＭＨｚまでの周波数に影響する。
【０００５】
最良の解決は、新しく設置されるシステムがＴＤＤシステムと同期してＦＥＸＴだけが２つのシステムの間で誘起されるようにすることである。これは、新しいシステムの信号の方向がＴＤＤシステムの信号の方向と同じとすることと等価である。
【０００６】
ＴＣＭ−ＩＳＤＮに従ってＶＤＳＬを最適化する１つの方法はＶＤＳＬをＴＣＭ−ＩＳＤＮと同じ時間同期のＴＤＤシステムとして設計することである。つまりＶＤＳＬの下り伝送はＴＣＭ−ＩＳＤＮの下り伝送のときのみ行い、また逆も同様とする。このときの問題はＴＣＭ−ＩＳＤＮの周期が４００Ｈｚでシステムに遅延をもたらし、この遅延はＶＤＳＬの規格に比べて大きすぎて受容することができないということである。
【０００７】
本発明は、上記問題を解決するために、広帯域伝送システムの周波数範囲を、少なくとも２つの逆方向の帯域に分割する。ＴＤＤシステムからのクロストークに影響される下方の帯域は、ＴＤＤシステムと同期して常に同じ方向に送信する。この構成によりＴＤＤシステムから広帯域伝送システムへの近傍クロストークは避けられ、ＴＤＤシステムからの遠端クロストークは限定されたノイズ源となる。２つの周波数バンドの伝送方向を同時に切替えることにより広帯域伝送信号に追加の遅延は発生しない。
【０００８】
（課題を解決するための手段）
従って、本発明は、同じ銅線対ネットワークの中の狭帯域の時分割デュプレックスシステムから広帯域伝送システムへの一定周期のクロストークノイズを減少する方法を提供する。ここで、ＴＤＤシステムはスペクトルの下方部分で動作する。
【０００９】
本発明によると、広帯域伝送システムは周波数分割デュプレックスで動作する。広帯域は少なくとも２つの帯域に分割され、下方の帯域は時分割デュプレックスシステムと少なくとも部分的にオーバラップする。下方及び上方帯域は逆方向に伝送される。帯域の伝送方向を切替えることにより、広帯域システムの下方帯域の伝送方向が、時分割デュプレックスシステムの伝送方向と常に一致するようにする。
【００１０】
本発明は更に上記方法を実現する装置を提供する。本発明は独立請求項１と７に規定され、従属請求項は実施態様を規定する。
【００１１】
（発明の実施の態様）
始めに本明細書で用いる略号を列挙する。
ＴＤＤ      時分割デュプレックス(Time Division Duplex)
ＦＤＤ      周波数分割デュプレックス(Frequency Division Duplex)
ＴＣＭ      時間圧縮モード(Time Compressed Mode)
ＮＥＸＴ    近端クロストーク(Near End Cross-Talk)
ＦＥＸＴ    遠端クロストーク(Far End Cross-Talk)
ＶＤＳＬ    高速デジタル加入者線(Very high bit-rate Digital Subscriber Line)
ＡＤＳＬ    非同期デジタル加入者(Asymmetric Digital Subscriber Line)
【００１２】
広帯域ＦＤＤシステムの２つの帯域の伝送方向をノイズに同期して同時に切替えることにより、狭帯域ＴＤＤシステムからの一定周期のクロストークノイズが、減少することを説明する。一定周期のクロストークノイズは低周波数に集中し、ＦＤＤシステムは、低周波帯域に位置する狭帯域ＴＤＤ帯域とオーバラップする、広帯域を使用するものとする。
【００１３】
狭帯域ＴＤＤシステムからＦＤＤシステムへのＮＥＸＴが、２つの周波数バンドの伝送方向をＴＤＤシステムに同期して同時に切替えることにより、減少することを説明する。
【００１４】
図１において、ＦＤＤシステムは２つの帯域ＡとＢに分割される。Ａは低い帯域であり、Ｂは高い帯域である。図１は広帯域ＦＤＤシステムが２つの帯域Ａ，Ｂを有すること、及び狭帯域ＴＤＤシステムからのクロストークノイズＮＥＸＴとＦＥＸＴを示す。ＴＤＤシステムはＦＤＤシステムより狭い帯域を有し、スペクトルの下方部分で動作する。ＦＤＤシステムのスペクトルはＴＤＤクロストークノイズとオーバラップする。ＴＤＤシステムはスペクトルの下方部分でクロストークＮＥＸＴとＦＥＸＴを発生するので、ＦＤＤシステムの帯域Ａは、上方の帯域Ｂよりも多くの影響を受ける。
【００１５】
ＴＤＤシステムが下り方向に伝送するとき、ＦＤＤシステムは帯域Ａで下り方向、帯域Ｂで上り方向に伝送するように構成することにより、ＦＤＤの伝送方向が最適化される。同様に、ＴＤＤシステムが上流方向に伝送するときは、帯域Ａは上流方向、Ｂは下流方向伝送する。ＦＤＤ広帯域伝送システムは周波数帯域の伝送方向を切替える切替手段を有する。２つの帯域の伝送方向の切替えは、ＴＤＤシステムの装置から提供される同期により起動される。ＦＤＤシステムは、同じケーブル（ネットワーク）の中のＴＤＤシステムからの一定周期のクロストークノイズに同期して、２つの周波数バンドの伝送方向を切替える。周波数帯域の伝送方向の切替えにより、ＦＤＤシステムの低い帯域はＴＤＤシステムと同じ方向に伝送し、高い帯域はＴＤＤシステムと逆方向に伝送するようにする。
【００１６】
本発明は２つの帯域のみＦＤＤシステムに限定されない。スペクトルの上方には多くの周波数帯域の存在が可能で、これらは切替える必要はない。しかし、本発明の条件として、方向の切替えは対で行われ、ひとつの帯域の伝送方向は常に他の帯域の伝送方向と逆である。ＦＤＤシステムの各周波数帯域は上り又は下りの伝送に使用される。
【００１７】
本発明の利点として、ＴＤＤシステムが低い周期で方向を切替えるとき、ＦＤＤシステムに大きな遅延が発生しないことがある。２つの帯域の伝送方向を同時に切替えることにより、広帯域伝送信号に追加の遅延が発生しない。本発明によりＴＤＤシステムから広帯域伝送システムへの近端クロストークが避けられ、ＴＤＤシステムからの遠端クロストークは限定されたノイズ源でしかない。
【図面の簡単な説明】
【図１】  本発明による周波数ダイアグラムを示す。
【図１】
0004360031.tif 000002